(57)【特許請求の範囲】
【請求項１】
被掛け体へ引っ掛けるためのフック部と、このフック部に連結部材を介して吊り下げられ、平面視略角形に形成されていて複数個のピンチが設けられたフレームとを有する物干し具であって、前記フレームのコーナー部分にのみ、フレームを形成している素材よりも柔らかい素材で形成されたガード部が設けられていることを特徴とする物干し具。
【請求項２】
前記ガード部は前記フレームと別体に形成されており、前記フレームに取り付けられる構成となっていることを特徴とする請求項１記載の物干し具。
【請求項３】
前記ガード部は前記フレームに一体的に形成されていることを特徴とする請求項１項記載の物干し具。
【請求項４】
前記ガード部は前記フレームと異なる色に彩色されていることを特徴とする請求項１から３のうちいずれか１項記載の物干し具。
【発明の詳細な説明】
【０００１】
【発明の属する技術分野】
本発明は物干し具に関する。より詳しくは、ベランダ周りの窓ガラス等にフレームが当たったときの当接音が静かになるようにした物干し具に関するものである。
【０００２】
【従来の技術】
図６は従来の物干し具を示す斜視図である。
同図において、１は物干し竿等の被掛け体Ｓへ引っ掛けるためのフック部、２ａ，２ｂはこのフック部１に鎖等の連結部材３を介して吊り下げられた左右一対のフレーム、４はこのフレーム２ａ，２ｂに吊り下げられた複数個のピンチである。
フレーム２ａ，２ｂは洗濯物を吊したときに変形しにくいように、硬質の素材、例えば、ポリプロピレン等の合成樹脂や金属等により形成されている。
【０００３】
【発明が解決しようとする課題】
上述した従来の物干し具は、フレームが硬質の素材のみで形成されていた。このため、ベランダで物干し具が風で揺れて、フレームが窓ガラス等に当たると、当接音が響いてうるさいという問題があった。
特に、マンションやアパート等の狭いベランダでは、フレームが窓ガラス等に当たりやすく、うるさかった。
本発明の目的は以上のような課題を解決し、ベランダ周りの窓ガラス等にフレームが当たったときの当接音が静かになるようにした物干し具を提供することにある。
【０００４】
【課題を解決するための手段】
上記目的を達成するために請求項１記載の物干し具は、被掛け体へ引っ掛けるためのフック部と、このフック部に連結部材を介して吊り下げられ、平面視略角形に形成されていて複数個のピンチが設けられたフレームとを有する物干し具であって、前記フレームのコーナー部分にのみ、フレームを形成している素材よりも柔らかい素材で形成されたガード部が設けられていることを特徴とする。
請求項２記載の物干し具は、請求項１記載の物干し具において、前記ガード部は前記フレームと別体に形成されており、前記フレームに取り付けられる構成となっていることを特徴とする。
請求項３記載の物干し具は、請求項１項記載の物干し具において、前記ガード部は前記フレームに一体的に形成されていることを特徴とする。
請求項４記載の物干し具は、請求項１から３のうちいずれか１項記載の物干し具において、前記ガード部は前記フレームと異なる色に彩色されていることを特徴とする。
【０００５】
【作用効果】
請求項１記載の物干し具によれば、フレームを形成している素材よりも柔らかい素材よりなるガード部が、フレームの外周部に設けられているので、ベランダで物干し具が風で揺れて、フレームが窓ガラス等に当たっても、比較的柔らかい素材からなるガード部の緩衝作用によって当接音が響きにくくなる。
したがって、請求項１記載の物干し具によれば、窓ガラス等にフレームが当たったときの当接音が静かになるという効果が得られる。
請求項２記載の物干し具によれば、請求項１記載の物干し具において、フレームが平面視略角形に形成されており、少なくともそのコーナー部分にガード部が設けられているので、窓ガラス等に対して一番当たりやすいコーナー部分が、フレームを形成している素材よりも柔らかい素材で形成されていることとなり、したがって、物干し具が風で揺れて窓ガラス等に当たったときの当接音を効果的に静めることができるようになるという効果が得られる。
請求項３記載の物干し具によれば、請求項１または２記載の物干し具において、フレームとは別体に形成されたガード部が、フレームに取り付けられるように構成されているので、ガード部の作成および取り付け作業が行ないやすくなり、ガード部を備えた物干し具の組立が簡単になるという効果が得られる。
請求項４記載の物干し具によれば、請求項１または２記載の物干し具において、ガード部がフレームに一体的に形成されているので、次のような作用効果が得られる。
すなわち、仮に、ガード部をフレームと別体に形成してフレームに取り付ける構成とした場合には、窓ガラス等に当たったときの衝撃等により、ガード部ががたついたり、フレームから外れて紛失するおそれがある。
これに対して、請求項４記載の物干し具は、ガード部がフレームに一体的に形成されているので、別体としたときの上述のような不具合が生じなくなり、当接音を効果的に静めることができる。
また、請求項４記載の物干し具によれば、フレームにガード部を後から取り付ける手間がかからなくなるという効果も得られる。
請求項５記載の物干し具によれば、請求項１から４のうちいずれか１項記載の物干し具において、ガード部はフレームと異なる色に彩色されているので、目立ち易くなり、フレームに対する注意が喚起されやすくなる。
これにより、フレームに頭や顔などをぶつけにくくなるという効果が得られる。
【０００６】
【発明の実施の形態】
以下、本発明の実施の形態について図面を参照して説明する。
＜第１の実施の形態＞
図１は本発明に係る物干し具の第１の実施の形態を示す平面図、図２は同じく部分省略斜視図である。
【０００７】
これらの図において、本実施の形態の物干し具は、フック部１０と、このフック部１０にセンターフレーム１１および鎖等の連結部材１５を介して吊り下げられた平面視略四角形のフレーム２０と、このフレーム２０の外周部のコーナー部に設けられたガード部３０と、フレーム２０に吊り下げられた複数個のピンチ４０とを有している。
【０００８】
フック部１０、センターフレーム１１、フレーム２０、ピンチ４０は、いずれも、硬質の合成樹脂、例えば、ポリプロピレン等により形成されている。
一方、ガード部３０は、フレーム２０よりも柔らかい素材、例えば、エラストマー，発砲ウレタン、ゴム等により形成されている。
フック部１０は、図２に示すように、その下部１０ａがセンターフレーム１１の頂部１１ａに形成された孔１１ｂに嵌め込まれて、水平方向に回動可能に取り付けられている。なお、センターフレーム１１の頂部１１ａの下方には、フック１２を有する把手１３が設けられている。このフック１２には、図示しないハンガー等に掛けた洗濯物を吊すことができる。
【０００９】
フレーム２０は、図１に示すように、左右一対の左枠２０ａと右枠２０ｂとで構成されており、この左枠２０ａ，右枠２０ｂは、センターフレーム１１に設けられた支軸部１６に基端部が軸支されて、左右に広げられた状態、あるいは折り畳まれた状態に回動可能に設けられている。
左枠２０ａ，右枠２０ｂの内壁部にはリブ２１が設けられており、このリブ２１に所望の間隔を置いてピンチ４０が吊り下げられている。
なお、２２はハンドタオル等を掛けることが可能なロッド、２３は女性用下着の紐部等を掛けることが可能な掛け部である。
【００１０】
ガード部３０は、図３にも示すように、フレーム２０とは別体に形成されており、フレーム２０のコーナー部全体を覆うようにフレーム２０に取り付けられている。これにより、フレーム２０のコーナー部はフレーム２０よりも柔らかい素材のガード部３０でカバーされた状態となる。本実施の形態では、ガード部３０がフレーム２０の色と異なる色、例えば、目立ちやすい黄緑の蛍光色等で彩色されている。
【００１１】
上述した本実施の形態の物干し具によれば、フレーム２０のコーナー部がフレーム２０を形成している素材よりも柔らかい素材よりなるガード部３０で覆われているので、ベランダで物干し具が風で揺れて、フレーム２０が窓ガラス等に当たっても、比較的柔らかい素材からなるガード部３０の緩衝作用によって当接音が響きにくくなる。
したがって、本実施の形態の物干し具によれば、窓ガラス等にフレームが当たったときの当接音が静かになるという効果が得られる。
しかも、ガード部３０は、窓ガラス等に対して一番ぶつかりやすいコーナー部に設けられているので、物干し具が風で揺れて窓ガラス等にフレーム２０が当たったときの当接音を効果的に静めることができる。
さらに、物干し具が風で揺れてベランダに落下しても、ガード部３０の緩衝作用によって物干し具が破損しにくくなるという効果も得られる。
また、本実施の形態では、フレーム２０とは別体に形成されたガード部３０が、フレーム２０に取り付けられるように構成されているので、ガード部３０の作成および取り付け作業が行ないやすくなり、ガード部３０を備えた物干し具の組立が簡単になるという効果が得られる。
さらに、ガード部３０はフレーム２０と異なる色に彩色されているので、目立ち易くなり、フレーム２０に対する注意が喚起されやすくなる。
これにより、フレーム２０に頭や顔などをぶつけにくくなるという効果が得られる。
なお、図３（ａ）（ｂ）に示すように、フレーム２０が断面逆凹字形に形成された物干し具においては、フレーム２０の下端部２２ａ，２２ｂに対してガード部３０の下部３０ａ，３０ｂが係合するように、ガード部３０の下部３０ａ，３０ｂを折曲形成する。これにより、ガード部３０がフレーム２０から外れにくいものとなる。
また、ガード部３０はフレーム２０の直線部分に対して設けてもよい。
さらに、本実施の形態のガード部３０はオプション部品として販売してもよく、物干し具の購入者が必要に応じてガード部３０を購入してフレーム２０に取り付けるようにしてもよい。
この場合、ガード部３０は、従来のような硬質の素材のみからなるフレームを備えた物干し具に対して取り付けられるように、適宜変形可能な柔らかい素材で構成するのが望ましい。このような素材でガード部３０を構成することにより、一般的な従来の物干し具も、当接音を効果的に静めることが可能な物干し具とすることができるようになる。
【００１２】
＜第２の実施の形態＞
図４は本発明に係る物干し具の第２の実施の形態の要部を示す図で、（ａ）（ｂ）はフレームの形成過程を説明するための部分省略斜視図である。なお、同図において、第１の実施の形態と同一の部分には同一の符号を付してある。
この第２の実施の形態の物干し具が上述した第１の実施の形態と異なる点は、ガード部５０をフレーム２０に対して一体的に形成した点にあり、その他の点に変わりはない。
フレーム２０のコーナー部５０は、例えば、以下に説明するように、２色成形等により成形することが可能である。
まず、図４（ａ）に示すように、コーナー部に切り欠き２０ｃを有するフレーム２０を硬質の素材、例えば、白色のポリプロピレン等で成形する。次に、フレーム２０よりも柔らかい素材、例えば、黄緑色等のエラストマー等で切り欠き２０ｃにガード部５０を一体成形する。
これにより、フレーム２０のコーナー部にガード部５０が一体的に形成されることとなる。
このような第２の実施の形態の物干し具によれば、ガード部５０がフレーム２０のコーナー部に一体的に形成されているので、次のような作用効果が得られる。
すなわち、仮に、ガード部５０をフレーム２０と別体に形成してフレーム２０に取り付ける構成とした場合には、窓ガラス等に当接したときの衝撃等により、フレーム２０に対してガード部５０ががたついたり、フレーム２０から外れたりして紛失するおそれがある。
これに対して、本実施の形態の物干し具によれば、ガード部５０がフレーム２０に一体的に形成されているので、別体としたときの上述のような不具合が生じなくなり、当接音を効果的に静めることができるようになる。
また、フレーム２０にガード部５０を後から取り付ける手間がかからなくなるという効果も得られる。
【００１３】
＜第３の実施の形態＞
図５は本発明に係る物干し具の第３の実施の形態の要部を示す図で、（ａ）（ｂ）はコーナー部の組立過程を説明するための部分省略斜視図である。
この第３の実施の形態の物干し具が前述した第１，２の実施の形態と異なる点は、フレーム６０のコーナー部の外周部に、ガード部７０を部分的に取り付けた点に有り、その他の点に変わりはない。
図５（ａ）において、フレーム６０は断面逆凹字形に形成されており、そのコーナー部の外側壁６０ａには取付孔６１が形成されている。ガード部７０は断面略半円形で略Ｌ字形に細く形成されており、フレーム６０の取付孔６１に対応する部位に設けられた取付部７１を、取付孔６１に対してそれぞれ嵌入させることにより、図５（ｂ）に示すように、コーナー部の外側壁６０ａに部分的に取り付けられるようになっている。
このような第３の実施の形態の物干し具によれば、フレーム６０のコーナー部にガード部７０を簡単に取り付けることができる。
また、ガード部７０は同図に表したようにコーナー部に沿った細いＬ字形に形成されているので、コーナー部の外観をスマートに形成することができるという効果も得られる。
なお、本実施の形態で説明したようなガード部７０の取り付け方法を用いて、フレーム６０の直線部分にガード部を設けてもよい。
以上、本発明の実施の形態について説明したが、本発明は上記の実施の形態に限定されるものではなく、本発明の要旨の範囲内において適宜変形実施可能である。
例えば、ガード部の素材や形状は上述した実施の形態のものに限らず、フレームの形状等に合わせて種々のものを採用し得る。
【図面の簡単な説明】
【図１】本発明に係る物干し具の第１の実施の形態を示す平面図。
【図２】同じく部分省略斜視図。
【図３】同じくコーナー部を示す図で、（ａ）は部分省略斜視図、（ｂ）は図（ａ）のにおけるｂ−ｂ断面図。
【図４】本発明に係る物干し具の第２の実施の形態の要部を示す図で、（ａ）（ｂ）はフレームの形成過程を説明するための部分省略斜視図。
【図５】本発明に係る物干し具の第３の実施の形態の要部を示す図で、（ａ）（ｂ）はコーナー部の組立過程を説明するための部分省略斜視図。
【図６】  従来技術の説明図。
【符号の説明】
１０                フック部
２０                フレーム
３０                ガード部
４０                ピンチ
【図１】
0004371513.tif 000002
【図２】
0004371513.tif 000003
【図３】
0004371513.tif 000004
【図４】
0004371513.tif 000005
【図５】
0004371513.tif 000006
【図６】
0004371513.tif 000007